(57)【特許請求の範囲】
【請求項１】
記録媒体がスライド挿入されるホルダーを移動させて該記録媒体を再生可能位置に配置する記録媒体ローディング装置において、
記録媒体とともに上記ホルダーに対してスライドするイジェクトレバーに設けられた２方向に弾性変形可能な弾性部に第１、第２係合部を形成し、
上記弾性部の弾性変形によって、
上記ホルダーに記録媒体がスライド挿入された際に、上記弾性部が途中で第１の方向と第２の方向へ弾性変形した後に、上記弾性部が第２の方向への弾性変形により上記ホルダー側に近づいた状態のまま第１の方向への弾性変形が解除されて、第１係合部と上記ホルダーに設けられた係合部材とを係合させて該記録媒体の排出方向の移動をロックし、その後、該記録媒体が再生可能位置に配置される際に、上記弾性部の第２の方向への弾性変形も解除されるとともに、
該記録媒体が再生可能位置から退避される際に第２係合部とホルダーの移動に対して固定の固定部材とを係合させて上記弾性部が第１の方向へ撓んで上記ロックを解除するようにしたことを特徴とする記録媒体ローディング装置。
【請求項２】
機器の基台に後端部をもって枢支されたホルダーに該ホルダーの前端に設けた挿入口より記録媒体を挿入して該記録媒体を挿入完了位置までスライドさせた後、上記ホルダーを後端部を支点に回転させることにより該記録媒体を再生可能位置に配置する記録媒体ローディング装置において、
上記ホルダーの一側部に該ホルダーに挿入された記録媒体に係合し該記録媒体のホルダー内でのスライドに対応して一側部に沿ってスライドするイジェクトレバーを設けるとともに、該イジェクトレバーを上記ホルダーとの間に懸架したイジェクトスプリングにより記録媒体を上記挿入口より排出させる方向に付勢し、上記イジェクトレバーに該イジェクトレバーのスライド方向に対して上下及び左右に弾性変形できる弾性部を設けるとともに該弾性部に第１、第２係合部を設け、
上記ホルダーの後端側部に記録媒体が挿入完了位置まで上記ホルダーに挿入された時に該記録媒体に連動してスライドした第１係合部に係合する係合部材を設けて、該係合部材と第１係合部とで該記録媒体の排出をロックするロック機構を構成し、
かつ上記基台の後端側部には記録媒体が挿入完了位置から再生可能位置に移動する時に第２係合部と当接する解除アングルを設けて、該記録媒体が上記ホルダーとともに再生可能位置から退避する際に該解除アングルと第２係合部とが係合して上記ロック機構を解除するロック解除機構を構成し、
上記ロック機構及びロック解除機構の係脱を上記イジェクトレバーの弾性部の変形を利用して実行するようにしたものであって、
上記ホルダーに挿入された時に該記録媒体に連動して上記イジェクトレバーがスライドしていくと、
まず第２係合部が上記解除アングルの内面に当接して、上記弾性部は左右方向に弾性変形してホルダー側へ近づき、
その後、第１係合部が係合部材に当接して上記弾性部は上下方向へも弾性変形し、さらにスライドすると上下方向への弾性変形が解除されて第１係合部と係合部材が係合して上記ロックを行い、
上記ロックがなされた状態で、該記録媒体を再生可能位置に配置するためにホルダーを回転させると、第２係合部と解除アングルの内面との当接が外れて、弾性部の左右方向への弾性変形も解除されるとともに、
該記録媒体が上記ホルダーとともに再生可能位置から退避する際には、上記解除アングルの突出部と第２係合部とが係合して上記弾性部が上下方向に撓み、上記ロックが解除されることを特徴とする記録媒体のローディング装置。
【発明の詳細な説明】
【０００１】
【発明の属する技術分野】
本発明は、例えばミニディスク等の記録媒体を再生可能位置に装填し、またこの位置から非再生位置にアンローディングする記録媒体のローディング装置に関するものである。
【０００２】
【従来の技術】
従来の記録媒体のローディング装置は図９に示すような構成になっている。プレーヤの基台１の後端部で枢支されたホルダー２にホルダー２の挿入口２ｂを通して記録媒体Ｍを矢印Ａ方向に挿入すると、ホルダー２の側面に設けられたイジェクトレバー３と一体の係合部材（不図示）がホルダー２内で記録媒体Ｍと係合し、イジェクトレバー３に設けられた軸４２がホルダ２に設けられたガイド溝２ｃに案内されるとともに、ホルダ２に設けられた軸４１がイジェクトレバー３に設けられたガイド溝３ｂに案内されて、イジェクトレバー３が記録媒体Ｍとともに矢印Ａ方向へ移動する。
【０００３】
イジェクトレバー３の移動に伴ってイジェクトレバー３上に軸８で軸着されたイジェクト解除レバー７とイジェクト解除レバー７に一定方向の付勢力を与える解除レバースプリング５の一端５ａが矢印Ａ方向に移動する。
【０００４】
これら各部材の矢印Ａ方向への移動に伴って図１０に示すように、イジェクト解除レバー７が解除アングル６に当接するとイジェクト解除レバー７が解除アングル６に当接したまま、イジェクトレバー３はイジェクト解除レバー７に対して更に矢印Ａ方向に移動する。イジェクトレバー３に設けた係合部３ａはホルダー２の係止部２ａと当接して上方へ弾性変形しながら移動し、切欠き部２ｄに到達すると係合部３ａは係止部２ａと係合する。このロック機構により記録媒体Ｍの取り出し方向（Ｂ方向）のロックを完了していた。
【０００５】
そして、図１０に示すように、イジェクト解除レバー７と解除アングル６が当接し、ロック機構によるロックを維持させた状態でホルダー２を記録媒体Ｍの再生可能位置まで矢印Ｃ方向に回動させると、イジェクト解除レバー７の係合部７ａが解除アングル６の切欠き部６ａに到達して解除レバースプリング９の付勢力により矢印Ａ方向に移動し、図１１に示す状態になっていた。
【０００６】
ロック機構を解除して記録媒体Ｍを取り出す際には、図１２に示すようにホルダー２を矢印Ｄ方向に回転させる。それまで解除レバースプリング９により矢印Ａ方向に付勢されて解除アングル６の切欠き部６ａにあったイジェクト解除レバー７の係合部７ａは、解除アングル６の突出部６ｂと係合する。すると、イジェクト解除レバー７はホルダー２に固定されている軸８を中心に回転してイジェクト解除レバー７の係合部７ｂとイジェクトレバー３の係止部３ｃとが係合して係合部３ｃを矢印Ｄ方向に移動させることにより、係合部３ａとホルダー２の係止部２ａによるロック機構のロック解除を行う。更にイジェクトレバー３はイジェクトスプリング５の付勢力により矢印Ｂ方向に移動して記録媒体Ｍをホルダー２より取り出し可能な位置までアンローディングする。
【０００７】
【発明が解決しようとする課題】
上記従来のローディング装置は、上記構造からも明らかなように、ロック機構を構成する部品の点数が多く複雑な構成となるとともに、それに相俟って原価高なローディング装置となっていた。
【０００８】
本発明は、部品点数を削減してコスト低減を図ることのできる記録媒体のローディング装置を提供することを目的とする。
【０００９】
【課題を解決するための手段】
上記目的を達成するために本発明は、記録媒体がスライド挿入されるホルダーを移動させて該記録媒体を再生可能位置に配置する記録媒体ローディング装置において、記録媒体とともに上記ホルダーに対してスライドするイジェクトレバーに設けられた２方向に弾性変形可能な弾性部に第１、第２係合部を形成し、上記弾性部の弾性変形によって、上記ホルダーに記録媒体がスライド挿入された際に、上記弾性部が途中で第１の方向と第２の方向へ弾性変形した後に、上記弾性部が第２の方向への弾性変形により上記ホルダー側に近づいた状態のまま第１の方向への弾性変形が解除されて、第１係合部と上記ホルダーに設けられた係合部材とを係合させて該記録媒体の排出方向の移動をロックし、その後、該記録媒体が再生可能位置に配置される際に、上記弾性部の第２の方向への弾性変形も解除されるとともに、該記録媒体が再生可能位置から退避される際に第２係合部とホルダーの移動に対して固定の固定部材とを係合させて上記弾性部が第１の方向へ撓んで上記ロックを解除するようにしたことを特徴としている。
【００１０】
この構成によると、記録媒体はホルダーにスライド挿入された後ホルダーと共に再生可能位置に配される。そして、記録媒体のホルダーへのスライド挿入が完了した際に、第１係合部の弾性変形によって第１係合部とホルダーに設けられた係合部材とを係合させて該記録媒体が排出されるのをロックし、該記録媒体が再生可能位置から退避される際に、第２係合部の弾性変形によって第２係合部とホルダーの移動に対して固定の固定部材とを係合させて上記ロックを解除して該記録媒体が排出される。
【００１１】
また、本発明は、機器の基台に後端部をもって枢支されたホルダーに該ホルダーの前端に設けた挿入口より記録媒体を挿入して該記録媒体を挿入完了位置までスライドさせた後、上記ホルダーを後端部を支点に回転させることにより該記録媒体を再生可能位置に配置する記録媒体ローディング装置において、上記ホルダーの一側部に該ホルダーに挿入された記録媒体に係合し該記録媒体のホルダー内でのスライドに対応して一側部に沿ってスライドするイジェクトレバーを設けるとともに、該イジェクトレバーを上記ホルダーとの間に懸架したイジェクトスプリングにより記録媒体を上記挿入口より排出させる方向に付勢し、上記イジェクトレバーに該イジェクトレバーのスライド方向に対して上下及び左右に弾性変形できる弾性部を設けるとともに該弾性部に第１、第２係合部を設け、上記ホルダーの後端側部に記録媒体が挿入完了位置まで上記ホルダーに挿入された時に該記録媒体に連動してスライドした第１係合部に係合する係合部材を設けて、該係合部材と第１係合部とで該記録媒体の排出をロックするロック機構を構成し、かつ上記基台の後端側部には記録媒体が挿入完了位置から再生可能位置に移動する時に第２係合部と当接する解除アングルを設けて、該記録媒体が上記ホルダーとともに再生可能位置から退避する際に該解除アングルと第２係合部とが係合して上記ロック機構を解除するロック解除機構を構成し、上記ロック機構及びロック解除機構の係脱を上記イジェクトレバーの弾性部の変形を利用して実行するようにしたものであって、上記ホルダーに挿入された時に該記録媒体に連動して上記イジェクトレバーがスライドしていくと、まず第２係合部が上記解除アングルの内面に当接して、上記弾性部は左右方向に弾性変形してホルダー側へ近づき、その後、第１係合部が係合部材に当接して上記弾性部は上下方向へも弾性変形し、さらにスライドすると上下方向への弾性変形が解除されて第１係合部と係合部材が係合して上記ロックを行い、上記ロックがなされた状態で、該記録媒体を再生可能位置に配置するためにホルダーを回転させると、第２係合部と解除アングルの内面との当接が外れて、弾性部の左右方向への弾性変形も解除されるとともに、該記録媒体が上記ホルダーとともに再生可能位置から退避する際には、上記解除アングルの突出部と第２係合部とが係合して上記弾性部が上下方向に撓み、上記ロックが解除されることを特徴としたものである。
【００１２】
この構成によると、記録媒体をホルダーに挿入する際にイジェクトレバーに設けた弾性部の第１係合部はホルダーに設けた係合部材に当接して弾性変形しながら進行し、記録媒体が挿入完了位置まで到達したとき第１係合部を係合部材に係合させてイジェクトスプリングによる記録媒体の排出をロックする。更にホルダーをこの挿入完了位置から記録媒体の再生可能位置に回転させたときイジェクトレバーに設けた弾性部の第２係合部は基台に設けた解除アングルに当接して弾性変形しながら進行し、記録媒体が再生可能位置まで到達したとき第２係合部は弾性変形を解除されて解除アングルに係合可能な位置に配置され、記録媒体は再生可能位置にローディングされる。そして、記録媒体を再生可能位置からアンローディングする際に、第２係合部を解除アングルに係合させて第１係合部と係合部材との係合を解除し、イジェクトスプリングによって記録媒体が排出される。
【００１３】
【発明の実施の形態】
以下、本発明の実施態様を図に従って詳細に説明する。
［構成］
図１は本発明にかゝる記録媒体ローディング装置の一実施形態の分解斜視図であり、図２及び図３はアンローディング状態を示す側面図及び要部平面図である。これらの図において、従来と基本的に同一構成を成す部品については、説明の便宜上同一符号を付している。
【００１４】
従って、Ｍはミニディスク（ＭＤ）、フロッピーディスク（ＦＤ）及び再生専用であるコンパクトディスク（ＣＤ）等の記録媒体であり、１は記録媒体Ｍのプレーヤにおける金属板等から形成されている基台である。その基台１の後部両端に設けた突片を上方に折曲して解除アングル６，６としている。２は金属板の両側端部を「コ」字型に屈曲して形成した記録媒体支持部２１，２１を備えているホルダーであり、ホルダーの後部両端に設けた軸部２ｅ，２ｅをもって上記解除アングル６，６に枢支されている。
【００１５】
３は金属板の板面に前後に伸びるガイド溝３ｂを設けたイジェクトレバーであり、このガイド溝３ｂをもって上記ホルダー２の一方側部に固着された軸４１、４２に係合させることにより、矢印Ａ、Ｂ方向にスライド可能に支持される。そして、ホルダー２の係止爪２ｆとイジェクトレバー３の係止爪３ｄとの間に懸架したイジェクトスプリング５により矢印Ｂ方向、即ち記録媒体Ｍの排出方向に付勢されている。
【００１６】
また、イジェクトレバー３は、板面の下縁にガイド溝３ｂに沿って伸び上下（矢印Ｇ、Ｈ方向）並びに左右（矢印Ｅ、Ｆ）方向に弾性的に変形できる弾性部３１を設けている。そして、この弾性部３１の後端部分には第１、第２係合部３１ａ、３１ｂを設けている。
【００１７】
［作用］
アンローディング状態からローディング状態へ：
本発明は上述のように構成されるものであり、図２に示すように、ホルダー２を記録媒体Ｍを装填可能なアンローディング位置に上昇させた状態において、記録媒体Ｍをホルダー２の挿入口２ｂを通じて記録媒体支持部２１、２１に嵌める。
【００１８】
ホルダー２の内壁に沿って矢印Ａ方向に記録媒体Ｍを挿入して行くと、イジェクトスプリング５により矢印Ｂ方向に付勢されているイジェクトレバー３の当接部３ｅに記録媒体Ｍが当接し、イジェクトレバー３はホルダー２に固着した上記軸４１、４２に案内されて記録媒体Ｍとともに矢印Ａに移動する。そして、イジェクトレバー３の弾性部３１における第２係合部３１ｂが解除アングル６に当接すると、弾性部３１は図４の要部平面図に示すように矢印Ｅ方向に変形する。
【００１９】
この状態で、さらに記録媒体Ｍを矢印Ａ方向に挿入すると、記録媒体Ｍに当接しているイジェクトレバー３も共に矢印Ａ方向に移動して図５に示すようにイジェクトレバー３の弾性部３１における第１係合部３１ａがホルダー２の一方側部の後部に設けた係合手段としての係合片２ａに当接し、下方、即ち矢印Ｈ方向に変形する。
【００２０】
更に、記録媒体Ｍが矢印Ａ方向に挿入されると、イジェクトレバー３の第１係合部３１ａは係合片２ａを乗り越えることから当該弾性部３１の変形はその弾性力によって解除されるとともに第１係合部３１ａは係合片２ａに係合する。
【００２１】
本発明ではこれら第１係合部３１ａと係合片２ａとでロック機構を構成している。このロック機構のロックの結果、イジェクトスプリング５による記録媒体Ｍへの矢印Ｂ方向への付勢力（復帰力）は解除され、ホルダー２内に記録媒体Ｍを保持する。この状態が記録媒体Ｍのホルダーへの挿入完了位置であり、この時、弾性部３１の第２係合部３１ｂは解除アングル６の内面に当接しており、図４に示したように矢印Ｅ方向に変形したままの状態になっている。
【００２２】
そして、この記録媒体Ｍが挿入完了位置に配置された状態において、ホルダー２を矢印Ｃ方向（図２参照）に、即ち下方に押し下げると、ホルダー２は内部に記録媒体Ｍを保持したまゝで再生可能位置まで回転させられ、図６、図７の要部概略側面図及び要部概略平面図に示すローディング完了状態となる。
【００２３】
このローディング完了状態では、第１係合部３１ａが係合片２ａを乗り越えていることから弾性部３１の矢印Ｇ、Ｈ方向（図５参照）への変形は解除されており、また第２係合部３１ｂは、上記図４に示す状態では、解除アングル６の内面に当接していることからイジェクトレバー３の弾性部３１は第２係合部３１ｂ共々矢印Ｅ方向に変形していたが、記録媒体Ｍを再生可能位置に配置した上記ローディング完了時点（図６、図７）では、第２係合部３１ｂは解除アングル６の切欠き部６ａに達していることから、弾性部３１はその弾性力で復帰して変形を解除されている。
【００２４】
ローディング状態からアンローディング状態へ：
次に、記録媒体Ｍが再生可能位置にあるローディング状態から、図８に示すようにホルダー２を矢印Ｄ方向に回転させる。即ち、記録媒体Ｍをホルダー２共々前述の挿入完了位置に戻すように移動させる。これに相俟ってイジェクトレバー３もホルダー２と共に回転して弾性部３１の第２係合部３１ｂが解除アングル６の突出部６ｂに当接する。
【００２５】
更にホルダー２を矢印Ｄ方向に回転すると、弾性部３１はその第２係合部３１ｂが解除アングル６の突出部６ｂに当接していることから矢印Ｈ方向に撓み、この撓みに基づいて、それまで係合片２ａに係合していた弾性部３１の第１係合部３１ａの係合が解除される。
【００２６】
この係合解除で、イジェクトスプリング５の復帰力によってイジェクトレバー３は矢印Ｂ方向に引き戻され、その結果ホルダー２内の記録媒体Ｍもイジェクトレバー３の復帰とともにホルダー２内をスライドしてホルダー２より取り出しが可能な位置にアンローディングされる。
【００２７】
【発明の効果】
本発明によると、記録媒体をホルダーの挿入完了位置まで挿入したときイジェクトレバーに設けた弾性部の第１係合部をホルダーと一体に設けた係合部材に係合させてロックするとともに、記録媒体が再生可能位置から退避される際に第２係合部とホルダーの移動に対して固定の基台と一体に設けた解除アングルとを係合させて上記ロックを解除する。その結果、ローディング、アンローディングのために別途必要な部品は実質的にイジェクトレバー及びイジェクトレバーの案内部材のみで構成され、従来のローディング装置に比較して部品点数を削減して、記録媒体ローディング装置のコストを削減することができる。
【図面の簡単な説明】
【図１】本発明に係る記録媒体ローディング装置の実施形態の分解斜視図である。
【図２】同記録媒体ローディング装置のアンローディング状態を示す側面図である。
【図３】同記録媒体ローディング装置のアンローディング状態を示す要部平面図である。
【図４】同記録媒体ローディング装置のアンローディング状態から記録媒体を挿入完了位置に配置する途中の状態を示す要部平面図である。
【図５】同記録媒体ローディング装置のアンローディング状態から記録媒体の挿入完了位置に配置する途中の状態を示す要部側面図である。
【図６】同記録媒体ローディング装置をローディング状態に設定した状態示す要部側面図である。
【図７】同記録媒体ローディング装置をローディング状態に設定した状態示す要部平面図である。
【図８】同記録媒体ローディング装置をローディング状態よりアンローディング状態にする途中の状態を示す要部側面図である。
【図９】従来の記録媒体ローディング装置のアンローディング状態を示す側面図である。
【図１０】同従来の記録媒体ローディング装置において記録媒体を挿入完了位置に配置した状態を示す側面図である。
【図１１】同従来の記録媒体ローディング装置をローディング状態に設定した状態示す側面図である。
【図１２】同従来の記録媒体ローディング装置をローディング状態よりアンローディング状態にする途中の状態を示す要部側面図である。
【符号の説明】
１    基台
２    ホルダー
２ａ  係合片
３    イジェクトレバー
５    イジェクトスプリング
６    解除アングル
３１    弾性部
３１ａ  第１係合部
３１ｂ  第２係合部
Ｍ    記録媒体
【図１】
0003617601.tif 000002
【図２】
0003617601.tif 000003
【図３】
0003617601.tif 000004
【図４】
0003617601.tif 000005
【図５】
0003617601.tif 000006
【図６】
0003617601.tif 000007
【図７】
0003617601.tif 000008
【図８】
0003617601.tif 000009
【図９】
0003617601.tif 000010
【図１０】
0003617601.tif 000011
【図１１】
0003617601.tif 000012
【図１２】
0003617601.tif 000013